(57)【要約】      （修正有）【課題】従来のマイクロ水車及び水車を利用する発電機は河川を流れる異物などには対応できず、流入口に除塵用フィルターなどを設置しなければならず又、水車と発電機が個々に設置されるため、水車の回転力を発電機に伝える構造が必要であり、両者を省略した水車を提供する。【解決手段】異物については水車内を抵抗なく通過させ動力伝達機構を持たない、水車、発電機一体型マイクロ水力発電機を提供する。【選択図】図１
2014152670.tif 000002
【特許請求の範囲】
【請求項１】
川の流れに沿って配する外筒と、外筒の内側に、リング状の軸受けに支持された
回転自在な内筒と、内筒内側部分に固定去れた、内筒上流部から下流部に
向かって末広がり状の複数の三角状羽根と、内筒外側に固定された励磁帯（永久磁石）と
外筒外側に固定されたコイル（発電帯）によって構成したマイクロ水力発電機。
【請求項２】
請求項１のマイクロ水力発電機於いて、内筒内側部分に固定された、内筒上流部
から下流部に向かって末広がり状の流水を効率よく回転運動に変換する複数の
三角状の羽根
【請求項３】
請求項１及び２のマイクロ水力発電機において、内筒外側に固定された励磁帯（永久磁石）
と外筒外側に固定されたコイル（発電帯）によって構成した発電機
【発明の詳細な説明】
【技術分野】
【０００１】
この発明は、河川の流れに沿って配し、流水を回転力に変える水車と回転力を電気に変える
発電機を一体化し、自然エネルギーを利用した、マイクロ水力発電機に関するものである。
【背景技術】
【０００２】
これまでのマイクロ水車及び発電機は、河川を流れる異物などには対応できないため
流入口に除塵用フィルター等を設置しなければならず、又其所に溜まるゴミを、
頻繁に排除する必要が有り、管理に多くの手間がかかった。
【０００３】
又水車と、発電機が個々に設置されるために、水車の回転力を発電機に、伝える構造が
必要でありこれがゴミなどの絡みつきの原因になった。
【先行技術文献】
【特許文献】
【０００４】
【特許文献１】実用新案登録第１２６７４０号公報
【特許文献２】実用新案登録第３１４３１８９号公報
【非特許文献】
【０００５】
【非特許文献１】特開２００６−２３３９５０号公報
【発明の概要】
【発明が解決しようとする課題】
【０００６】
河川を流れる異物の多くは枯れ草など、柔軟な繊維状であり小径棒材などには絡みつく
性質を持っている。従来技術では、ストレーナー等で異物の排除を試みているが
ストレーナー等に絡まる異物を排除するのに相当の労力を要していた。
又従来技術では、流水を回転力に変える水車と、回転力を電気に変える発電機を
軸又はベルトにより連結しているが、これらを水中もしくは水面上におくことは
前記の通り繊維状の異物を絡ませ適切とは言えない。
本発明は、前記従来技術の問題点を解決し、自然の大小河川、農業用、用排水に
その自然を害することなく設置し、安定的に使用することが可能で水位の変動、
流量、異物などを自然の変化に対応する、水車、発電機一体型のマイクロ
水力発電機を提供することを解決の課題とする。
【課題を解決するための手段】
【０００７】
本発明の１は河川の流れに沿って配する外筒（１）と軸受け（３）によって、支持された
回転自在な内筒（２）と、内筒内側に固定された羽根（４）と、内筒外側に固定された
磁石（５）と、外筒外側に固定された発電用コイル（６）によって構成された
水車、発電機一体型のマイクロ水力発電機である。
【０００８】
本発明の２は、本発明１のマイクロ水力発電機において、内筒内側に固定された
三角状の複数枚の、羽根部材を上流側から下流方向へ、かつ内筒中心部へと
徐々に大きくなるよう構成したものである。
【０００９】
本発明の３は、本発明１又は２のマイクロ水力発電機に於いて、内筒内に
内筒を支える軸受け、支持棒など設置せず、内党内に入った枯れ草など異物を
スムーズに通過させる構造としたものである。
【００１０】
本発明の４は、本発明の１又は２または３のマイクロ水力発電機に於いて、外筒外側に
固定した発電用コイルと、回転自在な内筒外側に固定した磁石により、外部への
動力伝達機構を持たない、水車、発電機一体構造に構成したものである。
【発明の効果】
【００１１】
本発明１のマイクロ水力発電機によれば、水車、発電機一体型となっており
大小の河川、農業用用排水路に流れに沿って単に沈めておくだけで、
水の流速エネルギーから電気エネルギーを取り出せる、又とも綱などで
河川の底部と結合する必要はなく、河川の底部に安定して設置することが出来
多少の水量の変化十分対応でき、問題なく発電を継続することが出来る。
更に本発明１のマイクロ水力発電機では、様々な異物、特に枯れ草などが
流れの中にあっても内部に入った異物は速やかに排出されるため、故障の
おそれはなく、長期にわたり使用することが出来る。本発明１のマイクロ水力発電機
によれば、水力を使用するものであるから、温暖化ガスの発生など環境に悪影響
を与えるような問題はなく、有効に利用することが出来る。
【００１２】
本発明１又は２のマイクロ水力発電機によれば、水車の羽根は内筒内部に取り付けてあり
流入側から後方へ徐々に広がっているため、流入した異物は水流により、内筒中心
方向へ向け集まり速やかに排出される。
【００１３】
本発明３は、本発明１または２のマイクロ水力発電機において、内筒内に
内等を支えるための、軸受けや支持棒がないため、内筒内に入った枯れ草などの
異物は、内筒内をスムーズに通過することが出来る。
【００１４】
本発明４は、本発明１又は２又は３のマイクロ水力発電機によれば、水車外筒部に
発電用コイル、内筒外部に励磁帯（磁石）を具備しているため、水車より回転力を
取り出し外部での発電機設置の必要がなく、河川、農業用用排水に沈めるだけで
所定の電力を得ることが出来る。
【図面の簡単な説明】
【００１５】
【図１】マイクロ水力発電機の断面図である
【発明を実施するための形態】
【００１６】
本発明のマイクロ水力発電機は、外筒（１）の内側に軸受け（３）により支持された
回転自在な内筒（２）が設置されいる、内筒（２）の内側に複数枚の水流を効率よく
回転運動に変換する羽根（４）が固定されいる。内筒（２）の外側の一部に
磁界発生用の永久磁石（５）が固定されている、外筒外側には内筒外側の
永久磁石の対抗する位置に発電用コイル（６）を設置している。
【００１７】
本発明のマイクロ水力発電機を水の流れに沿って、設置することにより内筒内を
水が流れ、羽根に衝突しそのエネルギーを回転運動に変え、内筒が回転する
回転運動をしている内筒外側の一部に磁石を固定しているため、磁石も回転し
内筒外側の磁石に対抗する場所に設置してある外筒外側のコイルに磁石からの
磁界が交差するためコイルから電気をとり出すことが出来る。
【実施例】
【００１８】
未実施
【産業上の利用可能性】
【００１９】
従来の小型もしくはマイクロ発電装置は取水口、水路、発電機設置場所など、設置による
付帯費用が多くかかり、設置には多額の資金が必要であった。
又、異物の撤去（除塵作業）に多くの人手を要し、発電のランニングコストが高く
費用対コストのコストパフォーマンスが悪く、１００KW/ｈ以下では採算に乗らないと
考えられています。
本発明は、これらの問題を解決しコストパフォーマンスの優れたマイクロ水力発電機
提供しております。
本発明のマイクロ水力発電機は単に河川、農業用用排水などに沈めるだけで所定の
電力を提供できます。
出力は、設置条件にもよりますが、２〜５KW/hとなります。
【００２０】
本発明のマイクロ水力発電機は日本の里山等に見られる小落差の大小河川、
灌漑用農業用水路、排水路などに簡単に設置でき、稼働させることから、
大きな需要が期待出来ます。
【符号の説明】
【００２１】
１  外筒
２  内筒
３  軸受け
４  流水を効率よく回転運動に変える羽根
５  励磁用永久磁石
６  発電用コイル
【図１】
2014152670.tif 000003